(57)【要約】      （修正有）【課題】吸収容量が低下することを防止することが可能な使い捨て着用物品を提供する。【解決手段】使い捨て着用物品であるおむつ１０は、縦方向Ｙ及び横方向Ｘと、縦方向の寸法を二等分して横方向へ延びる横中心線Ｑと、肌対向面及び非肌対向面と、前ウエスト域１３と、後ウエスト域１４と、前後ウエスト域間に位置するクロッチ域１５と、少なくともクロッチ域に配置された、吸収性コアを備えた吸液構造体とを含む。吸液構造体のクロッチ域において横中心線よりも前ウエスト域側にのみ吸収性コアと重なるように少なくとも横方向へ伸縮可能なクロッチ弾性体４０が配設されている。前後ウエスト域１３，１４は、横方向へ延びる前後ウエスト弾性体２５，２６の伸縮力が作用する前後ウエスト伸縮域２７Ａ，２７Ｂ，２８Ａ，２８Ｂをそれぞれ有し、クロッチ域１５は、クロッチ弾性体の伸縮力が作用するクロッチ伸縮域２９Ａを有している。前後ウエスト伸縮域とクロッチ伸縮域とは、平面視において互いに重ならない。【選択図】図３
0003210985.tif 000002
【実用新案登録請求の範囲】
【請求項１】
縦方向及びそれに直交する横方向と、前記縦方向の寸法を二等分して前記横方向へ延びる横中心線と、肌対向面及び非肌対向面と、前ウエスト域と、後ウエスト域と、前記前後ウエスト域間に位置するクロッチ域と、少なくとも前記クロッチ域に配置された、吸収性コアを備えた吸液構造体とを含む使い捨て着用物品であって、
前記吸液構造体の前記クロッチ域において前記横中心線よりも前記前ウエスト域側にのみ前記吸収性コアと重なるように少なくとも前記横方向へ伸縮可能なクロッチ弾性体が配設され、
前記前ウエスト域は、前記横方向へ伸縮可能であって前記横方向へ延びる前ウエスト弾性体の伸縮力が作用する前ウエスト伸縮域を有し、
前記後ウエスト域は、前記横方向へ伸縮可能であって前記横方向へ延びる後ウエスト弾性体の伸縮力が作用する後ウエスト伸縮域を有し、
前記クロッチ域は、前記クロッチ弾性体の伸縮力が作用するクロッチ伸縮域を有し、
前記前後ウエスト伸縮域と前記クロッチ伸縮域とは、平面視において互いに重ならないことを特徴とする着用物品。
【請求項２】
前記着用物品に力が加えられておらず、前記クロッチ弾性体の収縮力が作用しない状態において、前記吸収性コアを含む前記クロッチ域における前記横方向の寸法が、前記前後ウエスト域における前記横方向の寸法の８０〜１０５％である請求項１に記載の着用物品。
【請求項３】
前記クロッチ弾性体は、前記吸収性コアの前記非肌対向面側に配置されている請求項１または２に記載の着用物品。
【請求項４】
前記クロッチ弾性体は、複数条のストリング状又はストランド状の弾性体であって、
前記クロッチ伸縮域は、前記前ウエスト域側の前記横方向の寸法が、前記横中心線側の前記横方向の寸法よりも大きくなるように前記クロッチ弾性体の収縮力を設定してある請求項３に記載の着用物品。
【請求項５】
前記吸液構造体は、前記縦方向へ延びる凹状溝を有し、
前記凹状溝は、平面視において前記クロッチ弾性体の一部に重なる請求項１〜４のいずれかに記載の着用物品。
【請求項６】
前記前ウエスト域を画成する前ウエストパネルと、前記後ウエスト域を画成する後ウエストパネルとをさらに含み、前記前ウエストパネルと前記後ウエストパネルとが前記縦方向において互いに離間対向し、前記吸液構造体の前後端部が前記前後ウエストパネルに固定される請求項１〜５のいずれかに記載の着用物品。
【請求項７】
前記前後ウエストパネルと、前記吸液構造体を含む吸収シャーシとによって一対のレッグ開口が画成され、
前記前後ウエスト伸縮域は、前記レッグ開口側において前記横方向において離間対向して位置する一対の伸縮域を含み、
前記一対の伸縮域間には非伸縮域が位置する請求項６に記載の着用物品。
【考案の詳細な説明】
【技術分野】
【０００１】
本考案は、使い捨て着用物品に関し、より詳しくは、使い捨てのトイレット・トレーニングパンツ、使い捨て失禁パンツ、使い捨ての生理用パンツ等の使い捨て着用物品に関する。
【背景技術】
【０００２】
特許文献１には、前ウエスト域と、後ウエスト域と、前後ウエスト域間に位置するクロッチ域とを有し、外形シート（シャーシ）と、クロッチ域において両側縁部が凹曲した形状を有し、吸収性コアを含む吸液構造体（吸収主体）とを備えるパンツ型の使い捨ておむつが開示されている。
【先行技術文献】
【特許文献】
【０００３】
【特許文献１】特開２００１−１９０５９３号公報
【考案の概要】
【考案が解決しようとする課題】
【０００４】
特許文献１に係るおむつにおいては、吸収性コアが身体に沿ったクロッチ域において両側縁が凹曲状を有することによって、フィット性が向上するとともに、比較的に剛性の高い吸収性コアによって脚の動きが阻害されることはない。一方、かかる従来のおむつにおいては、吸収性コアの両側縁が凹曲状を有することによって、体液を吸収するための面積が減少する。そのため、比較的に多量の体液が排泄されたとき、着用者の排泄口と対向する、凹曲部分の位置するクロッチ域の中央部において体液を吸収することができず、該部分から体液が漏れるおそれがある。
【０００５】
そこで、本考案の課題は、吸液性能に優れた吸液構造体を備える使い捨て着用物品の提供することにある。
【課題を解決するための手段】
【０００６】
前記課題を解決するために、本考案が対象とするのは、縦方向及びそれに直交する横方向と、前記縦方向の寸法を二等分して前記横方向へ延びる横中心線と、肌対向面及び非肌対向面と、前ウエスト域と、後ウエスト域と、前記前後ウエスト域間に位置するクロッチ域と、少なくとも前記クロッチ域に配置された、吸収性コアを備えた吸液構造体とを含む使い捨て着用物品である。
【０００７】
本考案は、上記着用物品において、前記吸液構造体の前記クロッチ域において前記横中心線よりも前記前ウエスト域側にのみ前記吸収性コアと重なるように少なくとも前記横方向へ伸縮可能なクロッチ弾性体が配設されることを特徴とする。
【考案の効果】
【０００８】
本考案に係る使い捨て着用物品の一つ以上の実施形態によれば、クロッチ域において横中心線よりも前ウエスト域側にのみ吸液構造体の吸収性コアと重なるように少なくとも横方向へ収縮可能なクロッチ弾性体が配設されているため、クロッチ弾性体が配置された個所の吸収性コアは横方向へ収縮する。これにより着用者は容易に脚を動かすことができる。加えて、着用物品を着用する際、クロッチ域の前ウエスト域側の吸収性コアの横方向の寸法が小さいから脚を通しやすい。一方、クロッチ域の後ウエスト域側にはクロッチ弾性体が配置されていないため、クロッチ域の吸収性コアにおいて、後ウエスト域側の吸収性コアの横方向の寸法が、前ウエスト域側の吸収性コアの横方向の寸法よりも相対的に大きい。よって、着用者の背側を十分に覆うことができる。さらには、クロッチ域の前ウエスト域側では、クロッチ弾性体の収縮力によって吸収性コアの横方向の寸法を小さくするとともに、吸収容量が低下することを防止することができるとともに、脚の動きやすさおよび脚の通し易さを実現することができる。従って、吸収容量が低下することを防止しつつ、脚の動き易さおよび脚の通し易さを実現することができる。
【図面の簡単な説明】
【０００９】
図面は、本考案の特定の実施形態を示し、考案の不可欠な構成ばかりでなく、選択的及び好ましい実施の形態を含む。
【図１】本考案に係る使い捨て着用物品の一例として示す、第１実施形態における使い捨ておむつの正面図。
【図２】おむつの着用状態における背面図。
【図３】各弾性体を伸長させた状態における、おむつの一部破断展開図。
【図４】おむつの分解斜視図。
【図５】図３のＶ−Ｖ線に沿う模式的断面図。
【図６】クロッチ弾性体のみが収縮した状態の吸液構造体を示す平面図。
【図７】第２実施形態の使い捨ておむつの吸収シャーシを示す平面図。
【図８】第２実施形態の使い捨ておむつの着用状態において、吸収性コアを含む部分における横方向の模式的断面図。
【図９】第２実施形態のクロッチ弾性体のみが収縮した状態の吸液構造体を示す平面図。
【図１０】第３実施形態の使い捨ておむつの吸収シャーシを示す平面図。
【図１１】第３実施形態の使い捨ておむつの吸収シャーシにおいて、クロッチ弾性体のみが収縮した状態を示す平面図。
【図１２】第４実施形態の使い捨ておむつにおける、図３と同様の一部破断展開図。
【図１３】図１２のＸＩＩＩ−ＸＩＩＩ線に沿う、図５と同様の模式的断面図。
【図１４】（ａ）第４実施形態の使い捨ておむつの吸液構造体の展開図。（ｂ）その吸液構造体の組立状態を示す図。
【図１５】第４実施形態の使い捨ておむつにおける、図４と同様の分解斜視図。
【図１６】第４実施形態の使い捨ておむつの着用状態における、図８と同様の模式的断面図。
【考案を実施するための形態】
【００１０】
下記の実施形態は、図１〜１６に示す使い捨て着用物品に関し、考案の不可欠な構成ばかりでなく、選択的及び好ましい構成を含む。
【００１１】
＜第１実施形態＞
図１〜６には、本考案の使い捨て着用物品の一例を示す。使い捨て着用物品の一例として示すプルオンタイプ（パンツ型）のおむつ１０は、縦方向Ｙ及びそれに直交する横方向Ｘと、その横方向Ｘの寸法を２等分して縦方向Ｙへ延びる縦中心線Ｐと、縦方向Ｙの寸法を２等分して横方向Ｘへ延びる横中心線Ｑとを有し、吸収シャーシ１１と、環状の弾性ウエストパネル１２とを含む。
【００１２】
図１〜３を参照すると、おむつ１０は、肌対向面及びその反対側の非肌対向面と、前ウエスト域１３と、後ウエスト域１４と、前後ウエスト域１３，１４の間に位置するクロッチ域１５と、ウエスト開口及び一対のレッグ開口１６とを有する。ウエスト開口は、環状の弾性ウエストパネル１２で画成され、一対のレッグ開口１６は、吸収シャーシ１１と環状の弾性ウエストパネル１２とで画成される。クロッチ域１５は、説明の便宜上、横中心線Ｑから前ウエスト域１３側に位置する前側部分１５Ａと、横中心線Ｑから後ウエスト域１４側に位置する後側部分１５Ｂとに区分される。
【００１３】
＜弾性ウエストパネル＞
図３を参照すると、弾性ウエストパネル１２は、前ウエスト域１３を画成する前ウエストパネル１８と、後ウエスト域１４を画成する後ウエストパネル１９とから構成される。前後ウエストパネル１８，１９は、吸収シャーシ１１の前後端部３０，３１と交差して横方向Ｘへ延びる中間内端縁１８ａ，１９ａと、縦方向Ｙにおいて中間内端縁１８ａ，１９ａと離間対向して横方向Ｘへ延びる外端縁１８ｂ，１９ｂと、外端縁１８ｂ，１９ｂからクロッチ域１５へ延びる両側縁１８ｃ，１９ｃと、両側縁１８ｃ，１９ｃと中間内端縁１８ａ，１９ａとをつなぐ凹曲状の内側縁１８ｄ，１９ｄとによって略台形状に形成される。前ウエストパネル１８の両側縁１８ｃのそれぞれと後ウエストパネル１９の両側縁１９ｃのそれぞれとは、互いに重ね合わされて、縦方向Ｙへ断続的に延びるサイドシーム２０で連結されることによってウエスト開口及び一対のレッグ開口１６が画定される。サイドシーム２０において、熱又は超音波によるエンボス加工等によって互いに重なり合うシートが融着される。
【００１４】
＜前後ウエストパネル＞
前後ウエストパネル１８，１９は、肌対向面側に位置する内層シート２１，２２と、非肌対向面側に位置する外層シート２３，２４と、横方向Ｘへ延びる複数条のストリング状又はストランド状の弾性材料から形成され、内外層シート２１，２２，２３，２４の間においてホットメルト接着剤を介して伸長状態で収縮可能に取り付けられた前後ウエスト弾性体２５，２６とを有する。
【００１５】
前ウエスト弾性体２５は、前ウエストパネル１８の外端縁１８ｂに沿って横方向Ｘへ延びる上方前ウエスト弾性体２５Ａと、横方向Ｘにおいて離間対向して配置された一対の下方前ウエスト弾性体２５Ｂとから構成される。後ウエスト弾性体２６は、後ウエストパネル１９の外端縁１９ｂに沿って横方向Ｘへ延びる上方後ウエスト弾性体２６Ａと、横方向Ｘにおいて離間対向して配置された一対の下方後ウエスト弾性体２６Ｂと、内側縁１９ｄに沿って凹曲して延び、かつ、横方向Ｘにおいて離間対向して配置された一対の臀部弾性体２６Ｃとから構成される。
【００１６】
前ウエストパネル１８は、上方前ウエスト弾性体２５Ａによって少なくとも横方向Ｘへの弾性を付与された前第１伸縮域（前ウエスト伸縮域）２７Ａと、下方前ウエスト弾性体２５Ｂによって少なくとも横方向Ｘへの弾性を付与された前第２伸縮域（前ウエスト伸縮域）２７Ｂとを有する。換言すれば、前ウエストパネル１８は、上方前ウエスト弾性体２５Ａの伸縮力が作用する前第１伸縮域２７Ａと、下方前ウエスト弾性体２５Ｂの伸縮力が作用する前第２伸縮域２７Ｂとを有する。前第２伸縮域２７Ｂにおける下方前ウエスト弾性体２５Ｂは、後述する吸収体３４と平面視において重なる部分において切断又は実質的に収縮力が発現しない状態（例えば、１．０〜１．３倍に伸長された状態）にされている。換言すれば、前第２伸縮域２７Ｂは、横方向Ｘにおいて離間対向して位置する一対の前伸縮域２７Ｃを含み、一対の前伸縮域２７Ｃ間には、前非伸縮域２７Ｄが位置する。下方前ウエスト弾性体２５Ｂが吸収体３４と重なる部分において収縮力が実質的に発現しない状態とされていることによって、吸収体３４が横方向Ｘに収縮することを抑えることができる。また、横方向Ｘへ連続する上方前ウエスト弾性体２５Ａの収縮力によって前ウエストパネル１８の上部を着用者の身体にフィットさせることができるとともに、吸収体３４の両側において下方前ウエスト弾性体２５Ｂがその収縮力によって前ウエストパネル１８の下部を着用者の身体の形状に合わせてフィットさせることができる。
【００１７】
後ウエストパネル１９は、上方後ウエスト弾性体２６Ａによって少なくとも横方向Ｘへの弾性を付与された後第１伸縮域（後ウエスト伸縮域）２８Ａと、下方後ウエスト弾性体２６Ｂ及び臀部弾性体２６Ｃによって少なくとも横方向Ｘへの弾性を付与された後第２伸縮域（後ウエスト伸縮域）２８Ｂとを有する。換言すれば、後ウエストパネル１９は、上方後ウエスト弾性体２６Ａの伸縮力が作用する後第１伸縮域２８Ａと、下方後ウエスト弾性体２６Ｂ及び臀部弾性体２６Ｃの伸縮力が作用する後第２伸縮域２８Ｂとを有する。後第２伸縮域２８Ｂにおける弾性体２６Ｂ，２６Ｃは、吸収体３４と平面視において重なる部分において切断又は実質的に収縮力が発現しない状態（例えば、１．０〜１．３倍に伸長された状態）にされている。換言すれば、後第２伸縮域２８Ｂは、横方向Ｘにおいて離間対向して位置する一対の後伸縮域２８Ｃを含み、一対の後伸縮域２８Ｃ間には、後非伸縮域２８Ｄが位置する。弾性体２６Ｂ，２６Ｃが吸収体３４と重なる部分において収縮力が実質的に発現しない状態とされていることによって、吸収体３４が横方向Ｘへ収縮することを抑えることができる。また、横方向Ｘへ連続する上方後ウエスト弾性体２６Ａの収縮力によって後ウエストパネル１９の上部を着用者の身体にフィットさせることができるとともに、吸収体３４の両側において、弾性体２６Ｂ，２６Ｃの収縮力によって後ウエストパネル１９の下部を着用者の身体の形状に合わせてフィットさせることができる。
【００１８】
前第１伸縮域２７Ａ、前第２伸縮域２７Ｂ、後第１伸縮域２８Ａ、および後第２伸縮域２８Ｂは、前ウエストパネル１８と後ウエストパネル１９とを連結するサイドシーム２０の上下端間における横方向Ｘの全域によって画成される。
【００１９】
前後ウエストパネル１８，１９を構成する各種のシート、すなわち、内外層シート２１，２２，２３，２４は、質量約１５〜３０ｇ／ｍ２の疎水性のスパンボンド不織布またはＳＭＳ（スパンボンド・メルトブローン・スパンボンド）繊維布、プラスチックフィルム又はそれら不織布の少なくとも一つとのラミネートシート等から形成することができる。互いに積層されたシートは、少なくともいずれか一方の内面に間隔を開けて塗布されたホットメルト接着剤又は前記熱溶着手段によって接合される。前後ウエスト弾性体２５，２６は、繊度が約３００〜１２００ｄｔｅｘであって、収縮または弛緩された状態から約２．０〜３．０倍に伸長されたストリング状またはストランド状の弾性材料から形成することができる。
【００２０】
＜吸収シャーシ＞
図３及び図４を参照すると、吸収シャーシ１１は、縦長の略矩形状であって、前ウエストパネル１８の肌対向面と連結された前端部３０と、後ウエストパネル１９の肌対向面と連結された後端部３１と、前後端部３０，３１間において縦方向Ｙへ延び、クロッチ域１５の一部を形成する中間部３２とを有する。
【００２１】
吸収シャーシ１１は、透液性を有する繊維不織布製の身体側ライナ３３と身体側ライナ３３によって肌対向面側が被覆された吸収体３４とを有する吸液構造体３７と、不透液性又は疎水性の被覆シート３８と、吸液構造体３７と被覆シート３８との間に位置する防漏シート３９とを含む。吸液構造体３７は、さらに、矩形の第１及び第２補助シート３５Ａ ，３５Ｂと、横方向Ｘへ延びる複数条のストリング状又はストランド状の弾性材料から形成され、第１及び第２補助シート３５Ａ，３５Ｂの間においてホットメルト接着剤を介して横方向Ｘへ伸長状態で収縮可能に取り付けられたクロッチ弾性体３６とを有する。第１及び第２補助シート３５Ａ，３５Ｂとクロッチ弾性体３６とは、クロッチ域１５の前側部分１５Ａにおいて、少なくとも横方向Ｘへの弾性を付与するクロッチ弾性体（伸縮可能なシート要素）４０を形成する。また、クロッチ域１５には、クロッチ弾性体３６の伸縮力が作用するクロッチ伸縮域２９Ａが画成される（図３参照）。クロッチ伸縮域２９Ａは、クロッチ弾性体３６の伸縮力が作用する領域であって、クロッチ弾性体３６が存在する領域を含み、且つクロッチ弾性体３６が存在しない領域であって、クロッチ弾性体３６の伸縮力によって補助シート３５Ａ，３５Ｂに皺が発生する領域も含まれる。
【００２２】
身体側ライナ３３は、例えば、質量約１０〜４０ｇ／ｍ２の親水化処理されたスパンボンド繊維不織布、ＳＭＳ繊維不織布等から形成することができる。被覆シート３８は、例えば、質量約１５〜３０ｇ／ｍ２の不透液性又は疎水性の繊維不織布から形成することができ、防漏シート３９は、例えば、質量約１０〜２０ｇ／ｍ２の液不透過性のプラスチックフィルム等から形成することができる。
【００２３】
吸収体３４は、フラッフ木材パルプや超吸収性ポリマー粒子等から形成された吸収性コア３４ｄと、吸収性コア３４ｄの全体を包被する質量約１０〜２０ｇ／ｍ２のティッシュペーパ、繊維不織布等から形成された透液性のコアラップシート３４ｅとを有する。吸収体３４は、クロッチ域１５から前後ウエスト域１３，１４へ延び、横方向Ｘへ延びる前後端縁３４ａ，３４ｂと、縦方向Ｙへ延びて前後端縁３４ａ，３４ｂをつなぐ両側縁３４ｃとによって縦方向Ｙの全域において横方向Ｘの寸法が一定である長方形状に形成される。
【００２４】
クロッチ弾性体４０の第１及び第２補助シート３５Ａ，３５Ｂは、例えば質量約１０〜３０ｇ／ｍ２の繊維不織布から形成することができる。第１及び第２補助シート３５Ａ，３５Ｂは、オプションであって、吸収体３４と防漏シート３９との間に直接的にクロッチ弾性体３６を配置することもできるが、半剛性の吸収体３４に直接的にクロッチ弾性体３６を取り付ける場合に比して、第１補助シート３５Ａを介在させることによって安定的にクロッチ弾性体３６を吸収体３４に取り付けることができ、第２補助シート３５Ｂを設けることによって吸収性コア３４からクロッチ弾性体３６が外れるのを防止することができる 。
【００２５】
クロッチ弾性体４０は、クロッチ域１５の前側部分１５Ａに配置される。より具体的には、クロッチ弾性体４０は、平面視において吸収性コア３４ｄと重なる一方、前後ウエストパネル１８，１９に重ならないように吸収性コア３４ｄの非肌対向面側に配置される。 吸収性コア３４ｄの非肌対向面側にクロッチ弾性体４０を配置することによって、吸収性コア３４ｄの肌対向面側に皺が発生するのを抑えることができる。
【００２６】
クロッチ弾性体３６は、例えば繊度が約３００〜１０００ｄｔｅｘであって、収縮又は弛緩された状態から約１．３〜２．５倍に伸長されたストリング状又はストランド状の弾性材料から形成することができる。本実施形態では、例えば、３〜２０ｍｍの一定の間隔で複数のクロッチ弾性体３６を配置してあり、複数条のクロッチ弾性体３６の伸長力はほぼ同等である。クロッチ弾性体４０として、第１及び第２補助シート３５Ａ，３５Ｂ並びにストリング状又はストランド状のクロッチ弾性体３６を用いる代わりに弾性シートを用いてもよい。弾性シートとしては、例えば、第１及び第２補助シート３５Ａ，３５Ｂと同形同大の矩形状を有し、質量が約１５〜６０ｇ／ｍ２のエラストマー繊維からなる伸縮性繊維不織布や伸縮性フィルム等を用いることができる。弾性シートを使用したときには、非伸長時の寸法よりも横方向Ｘに約１．５〜２．５倍に伸長された状態で固定される。
【００２７】
図５を参照すると、クロッチ弾性体３６は、横方向Ｘの中央に配置してあり、クロッチ弾性体３６の横方向Ｘの寸法Ｌ１は、後記する被覆シート３８の一対の自由部４６の横方向Ｘの離間寸法Ｌ２よりも小さい。また、クロッチ弾性体４０は、横方向Ｘの中央を跨いで配置（縦中心線Ｐを跨いで配置（図３参照））してあり、クロッチ弾性体４０の横方向Ｘの寸法Ｌ３は、被覆シート３８の一対の自由部４６の横方向Ｘの離間寸法Ｌ２よりも小さい。具体的には、成人用のパンツ型おむつの場合の寸法Ｌ１は、好ましくは１００〜２００ｍｍであり、寸法Ｌ２は、好ましくは１５０〜２５０ｍｍであり、寸法Ｌ３は、好ましくは１２５〜２２５ｍｍである。
【００２８】
図４及び図５を参照すると、被覆シート３８は、防漏シート３９の非肌対向面側に位置する中央部４１と、防漏シート３９の両側縁から横方向Ｘの外側に位置する両側部４２とを有する。被覆シート３８の両側部４２は、防漏シート３９の両側縁の外側に位置する折曲ラインに沿って内面側に折曲されて身体側ライナ３３の肌対向面側に固定される。具体的には、図４に示すように両側部４２は、身体側ライナ３３に固定される縦方向Ｙにおいて互いに離間する両端固定部４４と、身体側ライナ３３の両側縁部に固定される両側固定部（近位部）４５と、両端固定部４４間において縦方向に延びて身体側ライナ３３に固定されていない自由部（遠位部）４６とを有する。自由部４６の縁部（自由縁部）は、被覆シート３８の外側縁を折り曲げてなるスリーブ状を有し、該縁部には縦方向Ｙへ延びる１条又は複数条のストリング状又はストランド状のカフ弾性体４７が伸長状態で収縮可能に配設される。カフ弾性体４７が収縮することによって、該縁部が身体側ライナ３３から着用者の身体側へ起立するバリアカフ４９が形成され、バリアカフ４９が大腿部にフィットして尿等の体液の漏れを防止する。また、被覆シート３８の両側部４２において、被覆シート３８を折り曲げた部位には、複数条のストリング状又はストランド状のレッグ弾性体４８が配設される（図４および図５参照）。
【００２９】
前ウエストパネル１８の前第２伸縮域２７Ｂには、図３に示したとおり、横方向Ｘにおいて対向離間して位置する一対の前伸縮域２７Ｃが含まれ、一対の前伸縮域２７Ｃ間には、前非伸縮域２７Ｄが位置するため、吸収シャーシ１１の前端部３０に前第２伸縮域２７Ｂの収縮力が直接的に作用されず、前端部３０の横方向Ｘの寸法が下方前ウエスト弾性体２５Ｂの収縮によって小さくなることはない。また、後ウエストパネル１９の後第２伸縮域２８Ｂには、横方向Ｘにおいて対向離間して位置する一対の後伸縮域２８Ｃが含まれ、一対の後伸縮域２８Ｃ間には、後非伸縮域２８Ｄが位置するため、吸収シャーシ１１の後端部３１に後伸縮域２８Ｃの収縮力が直接的に作用されず、後端部３１の横方向Ｘの寸法が後第２ウエスト弾性体２６Ｂの収縮によって小さくなることはない。
【００３０】
一般的なおむつにおいて、半剛性の吸収性コアが略長方形状を有する場合には、ごわついて着用感を損なうおそれがある。特に、着用者が歩行するときには、クロッチ域のうちの前ウエスト域側の部分が比較的に幅広の場合には、身体に吸収性コアが当接して歩行動作の妨げとなるおそれがある。一方、かかる不利益を防止するために、吸収性コアの両側縁が身体形状に沿うように凹曲状を有する吸収性コアは公知であるが、かかる吸収性コアでは吸収容量が低下する。したがって、吸収性コアの吸収容量が低下することを防止することと、おむつの着用感を向上することの両立を図ることは困難である。
【００３１】
本実施形態にかかるおむつ１０においては、図６に示すように、吸液構造体３７のクロッチ域１５において横中心線Ｑよりも前ウエスト域１３側のみに吸収性コア３４ｄと重なるように少なくとも横方向Ｘへ伸縮可能なクロッチ弾性体４０が配設されていることによって、吸収性コア３４ｄが略長方形状であっても、着用時においてはクロッチ弾性体４０の収縮によって吸収性コア３４ｄの横方向Ｘの寸法が縮められて幅狭となる。したがって、吸収性コア３４ｄの両側縁３４ｃは着用者の身体形状に沿った凹曲状を呈するので、吸収性コア３４ｄの吸収容量が低下することを防止しつつ、おむつ１０の着用感を向上することができる。また、クロッチ弾性体４０が配置されることによって、クロッチ域１５の前側部分１５Ａにおける縦方向Ｙの中央が横に張り出したような形状を有することはなく、着用状態において大腿部間に挟まれて幅狭となるので、外観視においてすっきりとした印象を与えることができる。しかも、クロッチ弾性体３６を一定間隔で複数配置することによって小皺を複数形成させ、体液の漏れを誘発するような大きな皺が吸収体３４に形成されるのを防止することができる。
【００３２】
具体的には、おむつ１０に力が加えられておらず、各弾性体２５，２６，３６，４７，４８が収縮した自然状態において、前ウエスト域１３における吸収性コア３４ｄの横方向Ｘの寸法（以下、「第１寸法」という）が約２２０ｍｍであるのに対し、クロッチ弾性体４０の収縮力が作用した吸収性コア３４ｄの横方向Ｘの寸法（前側部分１５Ａにおける吸収性コア３４ｄの横方向Ｘの最小寸法（以下、「第２寸法」という））は、約１５０ｍｍであって、第２寸法は、第１寸法の約６０％以上の大きさを有することが好ましい。該寸法比（第２寸法／第１寸法）が約６０％より小さいときには、吸収性コアの横方向Ｘの寸法を縮めるためのクロッチ弾性体の収縮力が比較的に大きくなり過ぎて、その収縮作用によって吸収性コアに体液の漏れを誘発するような比較的に大きなギャザーが形成されるおそれがある。吸収容量を考慮すると、該寸法比は８０％以上であることがより好ましい。おむつ１０に力が加えられておらず、各弾性体２５，２６，３６，４７，４８の伸縮力が作用しない状態において、吸収性コア３４ｄは、縦方向Ｙの全域において横方向Ｘの寸法が一定である長方形状を有する。換言すれば、この状態における吸収性コア３４ｄは、クロッチ域１５における横方向Ｘの寸法と、前後ウエスト域１３，１４における横方向Ｘの寸法とが同一である。また、この考案では、クロッチ弾性体４０を有する部分における吸収性コア３４ｄの横方向Ｘの寸法が、前後ウエスト域１３，１４における吸収性コア３４ｄの横方向Ｘの寸法よりも大きくてもよい。具体的には、該寸法比は、１０５％以下であることが好ましい。１０５％よりも大きいと、該部分における吸収性コア３４ｄの横方向Ｘの寸法が大きくなりすぎて、脚を容易に動かすことが困難となるためである。クロッチ弾性体４０を有する部分における吸収性コア３４ｄの横方向Ｘの寸法、および前後ウエスト域１３，１４における吸収性コア３４ｄの横方向Ｘの寸法は、縦方向Ｙへ延びるサイドシーム２０を破り、おむつ１０に力が加わらない自然状態において測定する。
【００３３】
本実施形態においては、クロッチ弾性体４０がクロッチ域１５の前側部分１５Ａのみに局所的に配置されていることによって、吸収容量の低下を抑えつつ、着用者の鼠径部の動きを阻害しないように吸収性コア３４ｄを凹曲させることができる。また、クロッチ弾性体４０により吸収性コア３４ｄが収縮することにより、該部位が身体に対して近づく向きに吸収性コア３４ｄが持ち上がり、より身体との隙間を減らすとともに、体液吸収後の重みがかかった状態においてもその持ち上がった状態を維持できる。そのため、脚を動かし易い状態を使用中において継続できる。
【００３４】
図１に示したとおり、前ウエスト域１３における吸収性コア３４ｄの横方向Ｘの寸法Ｗ１に対し、クロッチ弾性体４０が、クロッチ域１５の前側部分１５Ａに位置することによって該部分における吸収性コア３４ｄの横方向Ｘの寸法Ｗ２が比較的に小さくなるところ、図２に示すように、後ウエスト域１４における吸収性コア３４ｄの横方向Ｘの寸法Ｗ３およびクロッチ域１５の後側部分１５Ｂにおける吸収性コア３４ｄの横方向Ｘの寸法Ｗ４が小さくされることはない。したがって、該領域は十分な吸収面積を有するので、後ウエスト域１４及び後側部分１５Ｂにおいて排泄された比較的に多量の体液や軟便等の排泄物を確実に吸収することができる。また、本実施形態においては、後側部分１５Ｂにおいて、臀部弾性体２６Ｃの端部が吸収体３４の両側縁３４ｃと平面視において互いに重なって位置することによって（図３参照）、臀部弾性体２６ｃの収縮作用によって吸収シャーシ１１の後端部３１が横方向Ｘへ拡げられ、かつ、吸収体３４の両側縁３４ｃが身体から離れるように浮き上がるのを抑制することができる。
【００３５】
前第２伸縮域２７Ｂは、横方向Ｘにおいて対向離間して位置する一対の前伸縮域２７Ｃを含み、一対の前伸縮域２７Ｃ間には、前非伸縮域２７Ｄが位置するため、吸収シャーシ１１の前端部３０に前第２伸縮域２７Ｂの収縮力が直接的に作用されず、前端部３０の横方向Ｘの寸法が下方前ウエスト弾性体２５Ｂの収縮によって小さくなることはない。また、後第２伸縮域２８Ｂは、横方向Ｘにおいて対向離間して位置する一対の後伸縮域２８Ｃを含み、一対の後伸縮域２８Ｃ間には、後非伸縮域２８Ｄが位置するため、吸収シャーシ１１の後端部３１に後第２伸縮域２８Ｂの収縮力が直接的に作用されず、後端部３１の横方向Ｘの寸法が下方後ウエスト弾性体２６Ｂの収縮によって小さくなることはない。
【００３６】
このように、前後ウエスト弾性体２５，２６は、前後ウエスト域１３，１４に配置され、主としてそれが収縮することによって前後ウエストパネル１８，１９を着用者の身体１７にフィットさせておむつ１０の位置ずれを防止する機能（ホールド機能）を有する。一方、クロッチ弾性体４０は、クロッチ域１５の前側部分１５Ａのみに配置され、その収縮によって吸収体３４の両側縁３４ｃを身体形状に沿うように凹曲させてフィット性を向上させるとともに、その収縮力によって吸収性コア３４ｄの中央部を着用者の身体１７に押し当てる機能とを果たし得る。したがって、互いに異なる機能を有する前後ウエスト弾性体２５，２６とクロッチ弾性体３６とは、それらが連動しないように、その収縮力が直接的に作用しない配置態様であることが好ましく、本実施形態においては、前後ウエスト弾性体２５，２６とクロッチ弾性体３６とが縦方向Ｙにおいて所与寸法Ｌ４，Ｌ５離間している（図３参照）。より具体的には、前ウエスト弾性体２５の収縮力が作用する前第２伸縮域２７Ｂ、および後ウエスト弾性体２６の収縮力が作用する後第２伸縮域２８Ｂと、クロッチ伸縮域２９Ａとが平面視において重ならないように配置してある。
【００３７】
おむつにおいて、クロッチ伸縮域と前後ウエストパネルとが平面視において重なるように配置した場合、クロッチ弾性体の伸縮力によって前後ウエストパネルを下方へ移動させるおそれがある（換言すれば、おむつ１０の前後ウエストパネルが下方へズレ落ちるおそれがある）が、本考案に係るおむつによれば、クロッチ伸縮域２９Ａと前後ウエストパネル１８，１９とが平面視において重ならないように配置してあるため、クロッチ弾性体３６の伸縮力によって前後ウエストパネル１８，１９を下方へ移動させることもない。
【００３８】
また、このおむつ１０は、前ウエスト域１３を画成する前ウエストパネル１８と、後ウエスト域１４を画成する後ウエストパネル１９とを含み、前ウエストパネル１８と後ウエストパネル１９とが互いに離間対向し、吸液構造体３７を含む吸収シャーシ１１の前後端部３０，３１が前後ウエストパネル１８，１９に固定される。吸液構造体３７に排泄物が排泄されたときには、吸液構造体３７は、前後ウエストパネル１８，１９に対してハンモック状に吊持されるが、前後ウエストパネル１８，１９の前後ウエスト弾性体２５，２６によって、おむつ１０が下方へずれるのを防止することができる。
【００３９】
＜第２実施形態＞
図７を参照すると、本実施形態にかかるおむつにおいては、縦方向Ｙへ延び、かつ、クロッチ弾性体４０と平面視において互いに重なる一対の折曲誘導溝５０が位置している。折曲誘導溝５０は、吸収体３４において吸収性コア３４ｄが存在してないスリット状、または、吸収性コア３４ｄが局所的に肉薄である有底状であって、主として前側部分１５Ａに位置する直状部５０ａと、後側部分１５Ｂに位置して直状部５０ａから横方向Ｘの外側へ屈曲して延びる傾斜部５１ｂとを有する。折曲誘導溝５０において他の部分に比して吸収性コア３４ｄを肉薄に形成する方法としては、例えば、該部分における吸収性コア３４ｄの単位面積当たりの質量を予め小さくしたり、全体として厚さ寸法がほぼ同等の吸収性コア３４ｄを局所的に圧縮して、高剛性かつ高密度な圧縮部分を形成する方法を採用しうる。
【００４０】
図８を参照すると、クロッチ域１５の前側部分１５Ａにおいて、折曲誘導溝５０とクロッチ弾性体４０とが平面視において互いに重なって位置していることから、レッグ弾性体４８とカフ弾性体４７とが収縮しておむつ１０全体が湾曲した状態において、折曲誘導溝５０よりも横方向Ｘの外側に位置する部分がそれらの収縮力によって僅かに上方（身体側）へ移動する。また、図９に示すように、クロッチ弾性体４０の収縮作用によって折曲誘導溝５０によるスリットの幅寸法が小さくなるので、該部分における横方向Ｘの寸法が第１実施形態におけるそれよりも、より小さくなる。また、かかる状態において、折曲誘導溝５０間に位置する中央部５５がクロッチ弾性体４０による収縮作用によって横方向Ｘの寸法が縮められて、上方へ凸曲した形状を呈する。したがって、本実施形態における折曲誘導溝５０は、クロッチ弾性体４０と協働して、より前側部分１５Ａを幅狭に形成し、かつ、その中央部５５を着用者の排泄口に当接させるように上方へ移動させるための補助的機能を備える。
【００４１】
＜第３実施形態＞
図１０を参照すると 、本実施形態に係るおむつ１０においては、クロッチ弾性体４０を構成する複数条のクロッチ弾性体３６の収縮力が互いに相異するように設定される。具体的には、クロッチ域１５の最も前ウエスト域１３側に配置してあるクロッチ弾性体３６Ａの横方向Ｘへの収縮力が最も小さく、クロッチ弾性体３６Ａから横中心線Ｑに向かうにつれて次第に横方向Ｘへの収縮力が大きくなるように設定されており、最も横中心線Ｑ側に位置するクロッチ弾性体３６Ｂの横方向Ｘへの収縮力が最も大きくなるように設定される。クロッチ弾性体３６は、例えば、その弾性材料の種類、繊度、伸長倍率等を変更することによって収縮力を相異させることができる。
【００４２】
図１１を参照すると、このように、縦方向Ｙにおいて所与寸法離間して配置されたクロッチ弾性体３６の収縮力を相異させることによって、クロッチ弾性体４０における横方向Ｘの寸法が、前ウエスト域１３側から横中心線Ｑ側へ向かうにつれて次第に小さくなり、後方へ向かって次第に幅狭となる形態をなすので、吸収性コア３４ｄの中央部が前後端部と同様に比較的に幅広である場合に比して、着用時においてレッグ開口１６に脚を通し易くなり、着用操作が容易になる。なお、この考案において、クロッチ域１５におけるクロッチ弾性体４０の各部位の横方向Ｘの寸法の関係は、クロッチ弾性体３６の収縮力が作用したとき、横中心線Ｑ側における横方向Ｘの寸法＜クロッチ弾性体４０の縦方向Ｙの中央部における横方向Ｘの寸法＜前ウエスト域１３側における横方向Ｘの寸法となるように、クロッチ弾性体３６の収縮力を相違させることが好ましい。このようにクロッチ弾性体３６の収縮力を相違させれば、クロッチ弾性体４０の縦方向Ｙの中央部でクロッチ域１５を屈曲させ、クロッチ域１５の横中心線Ｑ側が最も狭い幅を有することで、着用者の鼠径部の形状に合わせて吸収性コア３４ｄをフィットさせることができる。
【００４３】
＜第４実施形態＞ 
図１２〜図１５を参照すると、本実施形態の吸収シャーシ１１の吸液構造体３７は、横方向Ｘの中央に位置する第１吸収部６１と、第１吸収部６１の横方向Ｘの両側に位置して縦方向Ｙへ延びる一対の折曲ライン６２と、折曲ライン６２から横方向Ｘの外側に位置する第２吸収部６３と、折曲ライン６２に沿って第１吸収部６１に位置する前固定部６５および後固定部６６とを有する。第２吸収部６３のうちの前後固定部６５，６６の位置する面の反対側の面には、複数条のサイド弾性体（レッグ弾性体）７７が取り付けられる。吸収体３４は長方形状を有し、第２吸収部６３が折曲ライン６２に沿って内方へ向かって折り曲げられて、前後固定部６５，６６を介して第１吸収部６１に固定される。このように、吸収シャーシ１１の両側部を内側に倒伏（内倒し）させて固定することによって、おむつ１０の着用状態において、サイド弾性体７７が伸長されて第２吸収部６３は着用者の身体へ向かって起立する。
【００４４】
また、吸収体３４には、肌対向面側において縦方向Ｙへ延びる複数条の凹状溝６７が形成される。凹状溝６７は、クロッチ弾性体４０と平面視において重なって位置する一対の中央凹状溝６８と、中央凹状溝６８の横方向Ｘの両側に位置してクロッチ弾性体４０と平面視において重ならない一対の側方凹状溝６９とを有する。各中央凹状溝６８は、クロッチ域１５の前側部分１５Ａにおいてクロッチ弾性体４０と平面視において互いに重なる直状部６８ａと、後側部分１５Ｂに位置して直状部６８ａから屈曲して横方向Ｘの外側へ延びる傾斜部６８ｂとを有する。中央凹状溝６８は、該部分における吸収性コア３４ｄの質量を予め小さくした有底の肉薄に形成してある。また、側方凹状溝６９は、折曲ライン６２と平面視において重なって位置しており、縦方向Ｙにおける両端部は、先尖状を有する。側方凹状溝６９は、該部分における吸収性コア３４ｄの質量を予め小さくして形成されたスリットである。
【００４５】
図１２を参照すると、中央凹状溝６８が、クロッチ弾性体４０と平面視において重なって位置することによって、前側部分１５Ａが幅狭となる。また、サイド弾性体７７及びカフ弾性体４７が収縮した、おむつ１０の着用状態において、クロッチ弾性体４０の収縮作用によって中央凹状溝６８が幅狭となり、かつ、中央凹状溝６８間に位置する吸収性コア３４ｄの中央部分７０の横方向Ｘの寸法が縮められるので、該中央部分７０は上方へ（身体側へ）凸曲した形状を呈する（図１６参照）。また、側方凹状溝６９は、図１４に示すように、折曲ライン６２と平面視において重なって位置することによって、容易に吸収体３４を折曲することができる（図１３参照）。
【００４６】
図１３を参照すると、第２吸収部６３は、着用状態において着用者の身体に当接する当接面７３Ａとその反対側に位置する非当接面７３Ｂと、第１吸収部６１と連結された基端縁部７４と、基端縁部７４よりも横方向Ｘの中央側へ位置する自由側縁部７５とを有する。第２吸収部６３は、吸収体３４とその身体側を被覆する透液性の身体側ライナ３３とから構成されているので、その外面全体が親水性を有する。サイド弾性体７７は、第２吸収部６３のうちの当接面７３Ａ側に位置しており、身体側ライナ３３と透液性の固定シート７６との間に配置される。固定シート７６はオプションであって、身体側ライナ３３と吸収体３４との間にサイド弾性体７７を配置することもできるが、半剛性の吸収体３４に直接的にサイド弾性体７７を取り付けるときに比して、固定シート７６を介在させることによってより安定的にサイド弾性体７７を取り付けることができる。また、便宜上、第２吸収部６３は、その横方向Ｘの寸法を分ける、自由側縁部７５側に位置する第１区域７１と、基端縁部７４側に位置する第２区域７２とに区分される。
【００４７】
第１吸収部６１及び第２吸収部６３における吸収性コア３４ｄ（凹状溝６７を形成した部位を除く）の単位面積当たりの質量は、約３５０ｇ／ｍ２であって、凹状溝６７を形成した部位を除いて吸収性コア３４ｄの全体の厚さはほぼ均一である。しかし、第１吸収部６１においてより多量の体液を吸収、保持すべく第１吸収部６１の厚さが第２吸収部６３のそれよりも大きくてもよいし、それとは反対に、第２吸収部６３の厚さが第１吸収部６１のそれよりも大きいものであってもよい。特に、後者の場合には、第２吸収部６３は、剛性が比較的に高くなり、着用者の鼠径部に挟まれても倒伏され難くなり、起立した状態を維持することができる。
【００４８】
本実施形態に係るおむつ１０において、クロッチ弾性体４０は、クロッチ域１５の第１吸収部６１において、前側部分１５Ａに配置してある一方、後側部分１５Ｂに配置していない。クロッチ弾性体３６の横方向Ｘの寸法Ｌ１は、第２吸収部６３の横方向Ｘの離間寸法Ｌ１０よりも小さい。また、クロッチ弾性体４０は、横方向Ｘの中央に配置してあり、クロッチ弾性体４０の横方向Ｘの寸法Ｌ３は、第２吸収部６３の横方向Ｘの離間寸法Ｌ１０よりも小さい。
【００４９】
サイド弾性体７７は、第２吸収部６３の基端縁部７４から自由側縁部７５までの幅寸法（横方向Ｘにおける寸法）全体に均等に配置されており、第２吸収部６３全体が弾性を有する。ただし、後記の本考案の効果を奏する限りにおいて、第２吸収部６３全体ではなくサイド弾性体７７は少なくとも基端縁部７４と自由側縁部７５とに配置されていればよい。また、ストリング状又はストランド状の弾性材料ではなく、弾性シートから形成されていてもよい。
【００５０】
図１５を参照すると、被覆シート３８の両側部４２は、内方へ向かって折り曲げられて、その前後固定部６５，６６を介して吸液構造体３７上に固定されている。両側部４２にはカフ弾性体４７が配置され、その収縮作用によっておむつ１０の着用状態において両側部４２は着用者の身体側へ起立するバリアカフ４９が形成される（図１３参照）。
【００５１】
図１６を参照すると、おむつ１０の着用状態において、第２吸収部６３は、サイド弾性体７７の収縮力によって着用者の身体１７側へ向かって起立する。通常、弾性体の収縮力によって立体カフ等を起立させる場合には、弾性体の配置された自由縁部のみが着用者の身体に当接して立体カフ全体が面状に着用者の身体にフィットし難くなる。本実施形態にかかるおむつ１０においては、第２吸収部６３の幅寸法全体にサイド弾性体７７が均等に配置されており、第１区域７１と第２区域７２とのサイド弾性体７７による縮み寸法がほぼ同様であるので、自由側縁部７５のみではなく当接面７３Ａの全体が着用者の大腿部にほぼ面状に当接する。したがって、自由側縁部７５のみが着用者の身体に当接するときに比して身体に対する当接面積が大きく、フィット性に優れ、身体につたってきた体液を確実に吸収、保持することができる。
【００５２】
第２吸収部６３はその内部に圧縮弾性の吸収性コア３４ｄを含み所要の厚さと剛性を有するものであるから、弾性を有するシート部材のみから形成された立体カフ等に比べて着用者の身体により安定的にフィットされ、身体１７と第２吸収部６３との間に体液の漏れを原因となるような隙間が形成されるのを抑制することができる。また、本実施形態のように、前後ウエスト域１３，１４が別体の前後ウエストパネル１８，１９から形成され、股部にて互いに離間した構造を有するおむつ１０の場合には、体液を吸収した吸収シャーシ１１がその自重によってずり下がって着用者の股下に挟み込まれ易くなるところ、第２吸収部６３が比較的に広範囲に身体にフィットしているので、かかるずり下がりを防止することができる。
【００５３】
第２吸収部６３は、全体が着用者の身体に面状にフィットするので、その一部のみがフィットして体液を吸収する場合に比して、吸収効率が高いものといえる。また、第２吸収部６３のうちの少なくとも当接面７３Ａが親水性を有するものであるから、身体をつたって第２吸収部６３の頂点（自由側縁部）７５を越えて外へ漏れ出た体液を第２吸収部６３の肌対向面（外面）において吸収して保持することができる。したがって、本実施形態においては、第２吸収部６３の内面を含めた全体が親水性を有しているので、排泄された体液は第１吸収部６１の肌対向面と第２吸収部６３の非当接面７３Ｂとを透過してそれらに吸収、保持されるとともに、身体をつたって第２吸収部６３の頂点を越えてその外面側へ移動した体液は当接面７３Ａから吸収、保持される。ただし、第２吸収部６３に所要の体液が吸収、保持される限りにおいて、第２吸収部６３の非当接面７３Ｂは親水性ではなく、疎水性又は不透液性であってもよい。
【００５４】
図１６を参照すると、被覆シート３８のバリアカフ４９は、第２吸収部６３の外側において、カフ弾性体４７の収縮力によって着用者の身体に向かって起立する。バリアカフ４９の幅寸法Ｗ５（図１６参照）は第２吸収部６３の幅寸法Ｗ６（図１３参照）よりも小さいので、それらが起立した状態において、第２吸収部６３の方がバリアカフ４９よりも高く、より着用者の身体にフィットされる。バリアカフ４９は、不透液性又は撥水性であって、着用者の身体をつたって第２吸収部６３の外面側に移動し、かつ、外面に吸収されない体液の漏れを防ぐ防漏堤としての機能を有する。また、サイド弾性体７７の収縮作用によって起立した第２吸収部６３は、鼠径部間に挟まれて外側に倒伏しやすくなるところ、外側にバリアカフ４９が位置することによって、第２吸収部６３が外側へ倒れ込むのを防止している。すなわち、バリアカフ４９は、第２吸収部６３とともに２重の防漏壁を形成するとともに、第２吸収部６３の起立を補助する役割を果たすものである。また、既述のとおり、３ピース構造のおむつ１０においては、体液を吸収した後に吸収シャーシ１１が自重によってずり下がり易くなるところ、第２吸収部６３のみならずバリアカフ４９が身体にフィットされるので、かかるずり下がりを防止することができる。
【００５５】
この実施形態のおむつ１０によれば、長方形状の吸収性コア３４ｄを用い、縦方向Ｙの中央における吸収性コア３４ｄの横方向Ｘの寸法を小さくしていないため、大量の体液を吸収性コア３４ｄで吸収することができる。また、着用者は、歩行の際、脚を前方へ出すが、このおむつ１０によれば、吸液構造体３７のクロッチ域１５の第１吸収部６１において、前側部分１５Ａには、吸収性コア３４ｄと重なるようにクロッチ弾性体３６を配設してあり、そのクロッチ弾性体３６が横方向Ｘへ収縮するため、クロッチ域１５の前側部分１５Ａにおける第１吸収部６１の横方向Ｘの寸法を小さくすることができる。このため、着用者は、容易に脚を動かすことができる。しかも、吸液構造体３７のクロッチ域１５において、後側部分１５Ｂ側にはクロッチ弾性体３６を配設していないため、第１吸収部６１の横方向Ｘの寸法が小さくなることを防止し、吸収性コア３４ｄで軟便等の体液を大量に吸収することができるとともに臀部を覆うことができる。
【００５６】
本考案のおむつ１０を構成する各構成材料には、特に記述がなされている場合を除き、この種の分野において通常用いられている、各種の公知の材料を制限なく用いることができる。また、前後ウエスト域１３，１４が別体のシート部材から構成されたものではなく、前後ウエスト域１３，１４とクロッチ域１５とが一体に形成されていてもよい。具体的には、内外層シート２１，２２，２３，２４が、おむつ１０の外形をなす略砂時計状の一枚のシート部材から形成されていてもよい。
【００５７】
なお、上述した第４実施形態において、第１吸収部６１と、第２吸収部６３とを一体に形成する例を示したが、本考案はこれに限られず、第１吸収部６１と第２吸収部６３とを別体で形成してもよい。
【００５８】
また、上述したおむつ１０は、前ウエストパネル１８と後ウエストパネル１９とが互いに離間対向し、吸液構造体１０の前後端部３０，３１が別体の前後ウエストパネル１８，１９に固定された構造のもので説明した。しかし、この考案は、そのおむつ１０に限られない。例えば、複数のシートを積層して前後ウエスト域およびクロッチ域を有するシャーシの肌対向面側に吸液構造体を取り付けたプルオンタイプのおむつにも適用することができる。もちろん、前後ウエスト域のうちの一方における両側縁部から横方向へ向かってファスナーが延出し、前後ウエスト域のうちの他方にターゲット部材を設け、該ファスナーをターゲット部材に締結させることによって前後ウエスト域を連結することができるいわゆるオープンタイプのおむつにも用いることができる。オープンタイプのおむつに本考案を用いたとき、前後伸縮域は、ファスナーの上下端間における横方向の全域およびターゲット部材の上下端間における横方向の全域によって画成される。
【００５９】
以上に記載した本考案に関する開示は、少なくとも下記事項に整理することができる。
縦方向及びそれに直交する横方向と、前記縦方向の寸法を二等分して横方向へ延びる横中心線と、肌対向面及び非肌対向面と、前ウエスト域と、後ウエスト域と、前記前後ウエスト域間に位置するクロッチ域と、少なくとも前記クロッチ域に配置された、吸収性コアを備えた吸液構造体とを含む使い捨て着用物品であって、前記吸液構造体の前記クロッチ域において前記横中心線よりも前記前ウエスト域側にのみ前記吸収性コアと重なるように少なくとも前記横方向へ伸縮可能なクロッチ弾性体が配設され、前記前ウエスト域は、前記横方向へ伸縮可能であって前記横方向へ延びる前ウエスト弾性体の伸縮力が作用する前ウエスト伸縮域を有し、前記後ウエスト域は、前記横方向へ伸縮可能であって前記横方向へ延びる後ウエスト弾性体の伸縮力が作用する後ウエスト伸縮域を有し、前記クロッチ域は、前記クロッチ弾性体の伸縮力が作用するクロッチ伸縮域を有し、前記前後ウエスト伸縮域と前記クロッチ伸縮域とは、平面視において互いに重ならない。
【００６０】
上記段落［００５９］に開示した本考案に係る使い捨て着用物品は、少なくとも下記の実施の形態を含むことができる。該実施の形態は、分離して又は互いに組み合わせて採択することができる。
（１）前記着用物品に力が加えられておらず、前記クロッチ弾性体の収縮力が作用しない状態において、前記吸収性コアを含む前記クロッチ域における前記横方向の寸法が、前記前後ウエスト域における前記横方向の寸法の８０〜１０５％である。
（２）前記クロッチ弾性体は、前記吸収性コアの前記非肌対向面側に配置されている。
（３）前記クロッチ弾性体は、複数条のストリング状又はストランド状の弾性体であって、
前記クロッチ伸縮域は、前記前ウエスト域側の前記横方向の寸法が、前記横中心線側の前記横方向の寸法よりも大きくなるように前記クロッチ弾性体の収縮力を設定してある。
（４）前記吸液構造体は、前記縦方向へ延びる凹状溝を有し、前記凹状溝は、平面視において前記クロッチ弾性体の一部に重なる。
（５）前記前ウエスト域を画成する前ウエストパネルと、前記後ウエスト域を画成する後ウエストパネルとをさらに含み、前記前ウエストパネルと前記後ウエストパネルとが前記縦方向において互いに離間対向し、前記吸液構造体の前後端部が前記前後ウエストパネルに固定される。
（６）前記前後ウエストパネルと、前記吸液構造体を含む吸収シャーシとによって一対のレッグ開口が画成され、前記前後ウエスト伸縮域は、前記レッグ開口側において前記横方向において離間対向して位置する一対の伸縮域を含み、前記一対の伸縮域間には非伸縮域が位置する。
【符号の説明】
【００６１】
１０    おむつ（使い捨て着用物品）
１２    ウエストパネル
１３    前ウエスト域
１４    後ウエスト域
１５    クロッチ域
１８    前ウエストパネル
１９    後ウエストパネル
２５    前ウエスト弾性体
２６    後ウエスト弾性体
２７Ｃ  前伸縮域（前ウエスト伸縮域）
２８Ｃ  後伸縮域（後ウエスト伸縮域）
２９Ａ  クロッチ伸縮域
３４ｄ    吸収性コア
３６    クロッチ弾性体
３６Ａ  クロッチ弾性体
３６Ｂ  クロッチ弾性体
３７    吸液構造体
５０    収縮案内溝（凹状溝）
６８    中央案内溝（凹状溝）
６９    側方案内溝（凹状溝）
Ｗ１    吸収性コアの前ウエスト域における横方向の寸法
Ｗ２    吸収性コアのクロッチ域の前ウエスト域側における横方向の寸法
Ｗ３    吸収性コアの後ウエスト域における横方向の寸法
Ｗ４    吸収性コアのクロッチ域の後ウエスト域側における横方向の寸法
Ｑ      横中心線
Ｘ      横方向
Ｙ      縦方向
【図１】
0003210985.tif 000003
【図２】
0003210985.tif 000004
【図３】
0003210985.tif 000005
【図４】
0003210985.tif 000006
【図５】
0003210985.tif 000007
【図６】
0003210985.tif 000008
【図７】
0003210985.tif 000009
【図８】
0003210985.tif 000010
【図９】
0003210985.tif 000011
【図１０】
0003210985.tif 000012
【図１１】
0003210985.tif 000013
【図１２】
0003210985.tif 000014
【図１３】
0003210985.tif 000015
【図１４】
0003210985.tif 000016
【図１５】
0003210985.tif 000017
【図１６】
0003210985.tif 000018